(57)【要約】【課題】  案内音声再生装置を貸し出さないでも、展示物の案内音声を来場者に提供することができるシステムを提供する。【解決手段】  案内音声再生システム１０は、展示物２４を案内する音声を携帯電話２１で再生するシステムであり、サーバ１５と、そのサーバ１５とコンピュータ通信網１６を介して通信する携帯電話プロバイダサイト１７と、その携帯電話プロバイダサイト１７と無線通信網２０を介して通信する携帯電話２１で構成される。  サーバ１５は、案内音声再生用データを展示場ＩＤと展示物番号に対応付けて記憶している手段と、再生プログラムを記憶している手段と、携帯電話から送信されたＩＤによって展示場２２を選択する手段と、展示場２２が選択されたときに、選択された展示場２２に対応付けて記憶されている案内音声再生用データと再生プログラムを、携帯電話２１に送信する手段を備えている。【選択図】  図１
2006113678.tif 000002
【特許請求の範囲】
【請求項１】
(1) サーバと、
(2) サーバとコンピュータ通信網を介して通信する携帯電話プロバイダサイトと、
(3) 携帯電話プロバイダサイトと無線通信網を介して通信する携帯電話を備えており、
展示場に展示されている展示物を案内する音声を携帯電話で再生するシステムであり、
サーバは、
(1-1) 各展示場の各展示物に対応する案内音声再生用データを展示場ＩＤと展示物番号に対応付けて記憶している手段と、
(1-2) 再生プログラムを記憶している手段と、
(1-3) 携帯電話から送信されたＩＤによって展示場を選択する手段と、
(1-4) 展示場が選択されたときに、選択された展示場に対応付けて記憶されている「展示物番号とそれに対応付けて記憶されている案内音声再生用データ」と「再生プログラム」を、携帯電話プロバイダサイトを介して携帯電話に送信する手段を備えており、
再生プログラムは、
(1-2-1) 携帯電話の操作キーから入力された展示物番号に対応付けて記憶されている案内音声再生用データに従って音声を再生するようにプログラムされていることを特徴とする案内音声再生システム。
【請求項２】
再生プログラムは、携帯電話を操作することによって、携帯電話に記憶されている「展示物番号とそれに対応付けて記憶している案内音声再生用データ」と「再生プログラム」を消去するようにプログラムされていることを特徴とする請求項１に記載の案内音声再生システム。
【請求項３】
再生プログラムは、その処理を開始すると携帯電話を強制的にマナーモードに切換えるようにプログラムされていることを特徴とする請求項１または２に記載の案内音声再生システム。
【発明の詳細な説明】
【技術分野】
【０００１】
本発明は、案内音声再生システムに関する。詳しくは、展示場に展示されている展示物を案内する音声を、携帯電話を利用して再生するシステムに関する。
【背景技術】
【０００２】
展示場に展示されている展示物を案内する音声を再生する装置が知られている。案内音声再生装置には、テンキーとヘッドホンが用意されている。来場者は、展示物の近傍に表示されている展示物番号を見たうえで、案内音声再生装置のテンキーから展示物番号を入力する。すると、その展示物を案内したり解説したりする音声がヘッドホンから再生される。
来場者は、来場時に案内音声再生装置を借り出す。その案内音声再生装置が確実に返却されるようにするために、通常は借り出しの際に、高額の保証金や免許書等の貴重品を預けることが求められる。
【発明の開示】
【発明が解決しようとする課題】
【０００３】
しかしながら来場者にとってみると、展示場側に貴重品等を預けることに不安を覚えることがあり、せっかくの案内音声再生装置が利用しづらいものになっている。
本発明は、その問題を解決するためになされたものであり、案内音声再生装置を貸し出さないでも、展示物の案内音声を来場者に提供することができるシステムを提供する。
【課題を解決するための手段】
【０００４】
本発明の案内音声再生システムは、展示場に展示されている展示物を案内する音声を携帯電話で再生するシステムであり、(1) サーバと、(2) そのサーバとコンピュータ通信網を介して通信する携帯電話プロバイダサイトと、(3) その携帯電話プロバイダサイトと無線通信網を介して通信する携帯電話で構成される。
サーバは、(1-1) 各展示場の各展示物に対応する案内音声再生用データを展示場ＩＤと展示物番号に対応付けて記憶している手段と、(1-2) 再生プログラムを記憶している手段と、(1-3) 携帯電話から送信されたＩＤによって展示場を選択する手段と、(1-4) 展示場が選択されたときに、選択された展示場に対応付けて記憶されている「展示物番号とそれに対応付けて記憶されている案内音声再生用データ」と「再生プログラム」を、携帯電話プロバイダサイトを介して携帯電話に送信する手段を備えている。
再生プログラムは、携帯電話の操作キーから入力された展示物番号に対応付けて記憶されている案内音声再生用データに従って音声を再生するようにプログラムされている。
この案内音声再生システムによると、来場者の多くが持参する携帯電話を用いて展示物の案内音声を再生することができる。よって、案内音声再生装置という物理的存在を貸し出す必要がない。案内音声再生サービスの提供を受けるにあたって、高額の保証金や貴重品を預ける必要がなくなる。
サーバから「案内音声再生用データ」を送信して携帯電話に記憶するまでのサービスは有料または無償で実施される。有料の場合でも、案内音声再生装置という物理的存在物の費用を回収する必要がなくなることから、案内音声再生サービスのコストを低減することができる。
【０００５】
上記の案内音声再生システムにおいて、再生プログラムは、携帯電話を操作することによって、携帯電話に記憶されている「展示物番号とそれに対応付けて記憶している案内音声再生用データ」と「再生プログラム」を消去するようにプログラムされていることが好ましい。
再生プログラムと音声コンテンツが消去可能であると、携帯電話の記憶容量を他の用途に利用することができる。
【０００６】
また再生プログラムは、その処理を開始すると携帯電話を強制的にマナーモードに切換えるようにプログラムされていることが好ましい。
展示場で携帯電話の着信音が鳴り響き、他の来場者の迷惑になることが防止される。
【発明を実施するための最良の形態】
【０００７】
後述する実施例の主要な特徴を記載する。
（１）案内音声再生システムは、案内文作成ターミナル、案内音声作成用データを作成するターミナル、ＡＳＰサーバ、携帯電話プロバイダサイト、携帯電話網、携帯電話を備えている。
（２）案内文作成ターミナルは、展示物を案内ないし解説する文を入力してテキストデータを作成するためのものである。テキストデータは、インターネット網を介して案内音声作成用データを作成するためのターミナルに送信される。
（３）案内音声用データを作成するためのターミナルは、案内文作成ターミナルから送信されてきた案内文のテキストデータに基づいて、案内音声再生用データを作成する。案内音声再生用データは、音声合成によって作られる。作成された案内音声再生用データは、インターネット網を介してＡＳＰサーバに送信される。
（４）ＡＳＰサーバには、「展示場と展示物番号」に対応付けて案内音声再生用データが記憶される。
（５）ＡＳＰサーバには、案内音声再生用データを携帯電話で再生するのに必要なプログラムも記憶されている。
（６）展示場の係員は、来場者が所有している携帯電話を操作し、ＡＳＰサーバにアクセスすることによって、その展示場のために用意されている案内音声再生用データを携帯電話にダウンロードする。このとき、その展示場のすべての展示物のための案内音声再生用データをダウンロードする。同一展示場であれば、一度ダウンロードすれば足りる。
（７）携帯電話は再生プログラムに従って動作する。来場者が展示物の近傍に表示されている展示物番号を携帯電話の操作キーから入力すると、その展示物番号に対応する案内音声が携帯電話から流れる。
【実施例】
【０００８】
本発明の案内音声再生システムの一実施例を、図面を参照しながら説明する。この案内音声再生システムは、例えば、美術館、博物館、動物園、植物園、テーマパーク、公園等の展示場に展示されている展示物（例えば、絵画、彫刻、古美術品、動物、植物、歴史的建造物、発掘品等）に関する案内音声を、来場者が所有している携帯電話から提供する。
図１に示すように、案内音声再生システム１０は、案内文作成ターミナル１２、案内音声再生用データ作成ターミナル（音声データ作成ターミナルと略称する）１４、ＡＳＰサーバ１５、携帯電話プロバイダサイト１７、携帯電話２１を備えている。案内文作成ターミナル１２、音声データ作成ターミナル１４、ＡＳＰサーバ１５、携帯電話プロバイダサイト１７は、インターネット網１６に接続されている。ＡＳＰサーバ１５は、案内音声再生システムの管理者が管理している。携帯電話２１は、携帯電話網２０を介して携帯電話プロバイダサイト１７に接続可能である。
案内文作成ターミナル１２は、展示場係員や学芸員や評論家や学者といった展示物に関する興味深い知識を有する者が、展示物に関する案内文を入力してテキストデータを作成するためのものである。操作者は、各展示場の展示物毎に、その展示物のための案内文を案内文作成ターミナルに入力する。そのときに、操作者は、展示場の各展示物に付与されている展示物番号と、案内文を対応付けておく。例えば、Ａ美術館の「１」が表示されている絵画については、「１」に対応付けて、その絵画の案内文を入力する。入力する案内文は、例えば、展示場の各絵画の近傍に表示されている案内文や、展示場で販売されているパンフレット等に記載されている案内文を流用してもよい。操作者が案内文作成ターミナル１２を操作して入力した案内文のテキストデータは、インターネット網１６を介して音声データ作成ターミナル１４に送信される。
【０００９】
音声データ作成ターミナル１４の操作者は、案内文作成ターミナル１２から送信されてきた案内文のテキストデータに基づいて、案内音声再生用データを作成する。案内音声再生用データは、音声合成によって作られる。案内音声再生用データは、携帯電話によって音声を再生することができるフォーマットによって作成される。作成された案内音声再生用データは、インターネット網を介してＡＳＰサーバ１５に送信され、ＡＳＰサーバ１５に記憶される。
ＡＳＰサーバ１５では、展示場ＩＤと展示物番号に対応付けて、案内音声再生用データを記憶する。図２は、ＡＳＰサーバ１５に記憶される案内音声再生用データを例示している。Ａ美術館の「１」に対応付けて絵画○○に関する案内音声再生用データが記憶されており、Ａ美術館の「２」に対応付けて絵画○×に関する案内音声再生用データが記憶されており、Ａ美術館の「３」に対応付けて絵画×○に関する案内音声再生用データが記憶されており、Ａ美術館の「１００」に対応付けて絵画△○に関する案内音声再生用データが記憶されており、Ｂ美術館の「１」に対応付けて絵画××に関する案内音声再生用データが記憶されており、Ｂ美術館の「２」に対応付けて絵画△×に関する案内音声再生用データが記憶されており、Ｂ美術館の「３」に対応付けて絵画×△に関する案内音声再生用データが記憶されている。これらは一部であり、ＡＳＰサーバ１５には、多数の展示場の多数の展示物に関する案内音声再生用データが記憶されている。ＡＳＰサーバ１５には、展示場ＩＤと展示物番号に対応付けて、案内文のテキストデータも記憶されている。ＡＳＰサーバ１５には、多数の展示場の多数の展示物に関する案内音声再生用データと案内文のテキストデータが記憶されており、展示物に関するデジタルアーカイブとしても機能する。ＡＳＰサーバ１５には、携帯電話によって案内音声再生用データを再生するプログラムも記憶されている。
【００１０】
展示場を訪れた来場者に対して行われる案内音声再生サービスについて説明する。図１は、来場者がＡ美術館２２を訪れ、絵画２４（図１参照）の案内音声を再生しながら絵画を鑑賞する場合を例示している。
図３は、案内音声再生処理に関するフローチャートである。最初の処理Ｓ１０に示すように、Ａ美術館２２を訪れた来場者は、入口で係員２３（図１参照）に、案内音声再生サービスの対価を支払う。入場料とは別に、例えば１００円を支払う。
そして、Ｓ１２に示すように、係員２３は来場者が持参した携帯電話２１を操作し、案内音声提供システムのホームページにアクセスする。具体的に説明すると、携帯電話２１を操作し、図４に示すインターネットのアドレス入力画面を表示画面２７に表示させる。次に、図５に示すように、案内音声提供システムのホームページのアドレス「ｈｔｔｐ：／／○○○．ｃｏｍ」を入力する。すると、図６に示すように、ＩＤとパスワードの入力を促す画面が表示される。そこで、係員は、図３のＳ１４に示すように、ＩＤとパスワードを入力する。図７は、ＩＤに「×○△」が入力され、パスワードに「○×△」が入力された状態を例示している。ＩＤは、展示場毎に予め設定されている。すなわち、ＩＤ「×○△」は、Ａ美術館２２に固有のＩＤである。パスワード「○×△」は、ＩＤ「×○△」に対応して予め設定されている。従って、ＩＤとパスワードの両方が正しく入力されないと、それ以上先に進めない。
【００１１】
ＩＤとパスワードが正しく入力されると、図３のＳ１６に示すように、ＩＤで特定された展示場（この場合、Ａ美術館２２）の音声コンテンツと、再生プログラムが携帯電話に一括してダウンロードされる。
携帯電話にダウンロードされる音声コンテンツは、ＩＤが入力された展示場に対応付けて記憶されている「展示物番号とそれに対応付けて記憶されている案内音声再生用データ」であり、ＩＤが入力された展示場の全展示物の音声コンテンツが一括してダウンロードされる。ＡＳＰサーバ１５は、携帯電話プロバイダサイト１７を介して、携帯電話２１に音声コンテンツと再生プログラムを送信する。
ここまでの操作を行ってから、係員２３は携帯電話２１を来場者に返す。これ以降、携帯電話は、ダウンロードした再生プログラムに従って動作する。
再生プログラムに従って動作すると、図３のＳ１８において、携帯電話２１の表示画面２７に、絵画２４の絵画番号の入力を促す絵画番号入力画面（図８参照）が表示される。Ａ美術館２２に入場した来場者は、鑑賞する絵画２４の前で、絵画２４毎に表示されている番号を入力する。図９は、番号「３」が入力された状態を示している。
図３のＳ２０では、絵画番号が入力されたか否かを判別する。絵画番号が入力された場合（ＹＥＳの場合）には、Ｓ２２に移行する。Ｓ２２に移行すると、入力した絵画番号に対応した案内音声が携帯電話２１から流れる。具体的には、携帯電話２１にダウンロードされている案内音声再生用データから、入力された絵画番号に対応する案内音声再生用データが選択され、その案内音声再生用データに基づいて音声が案内される。例えば、「○○○○の１８９０年代の婦人像の代表的作品。この婦人の暖かい肌色は、○○○○の友人である××××の影響が大きい。左側に描かれている窓から入る光が・・・・・」というような案内音声が再生される。
Ｓ２２を実行してから、Ｓ１８以降の処理が再び行われる。従って、来場者が次の絵画２４の前に移動してから、その絵画２４の絵画番号を入力すると、その絵画２４の案内音声が再生される。なお、案内音声の再生中には、図１０に示すように、携帯電話２１の表示画面２７に、どの絵画番号の絵画２４を案内音声を再生しているかが表示される。
【００１２】
従来は、絵画２４の近傍に表示されている案内文や、パンフレットに記載されている案内文を読みながら、絵画２４を鑑賞していた。このため、集中して絵画２４を鑑賞するのが難しかった。また、絵画２４の近傍に表示されている案内文を立ち止まって読む来場者がいるので、混雑時の来場者の流れが妨げられていた。携帯電話２１から案内音声が発せられると、集中して絵画２４を鑑賞することができる。また、ゆっくりと進みながら絵画２４を鑑賞することもできるので、混雑時であっても来場者の流れがスムーズになる。
【００１３】
図３のＳ２０の判別で絵画番号が入力されていないと判別した場合（ＮＯの場合）には、Ｓ２４が行われる。Ｓ２４では、終了が入力されたか否かを判別する。終了の入力は、図１１に示すように、絵画番号入力画面で「終了する」を選択することによって行われる。Ｓ２４で終了が入力されていないと判別した場合（ＮＯの場合）には、Ｓ１８以降の処理を再び行う。Ｓ２４で終了が入力されたと判別した場合（ＹＥＳの場合）には、Ｓ２６を実行する。
Ｓ２６を実行すると、携帯電話２１の表示画面２７に、案内音声データの保存の要否を入力する画面が表示される。図１２は、案内音声データの保存の要否を入力する画面を示している。案内音声データを保存するときには、図１３に示すように、「はい」を選択する。案内音声データを保存しない（消去する）ときには、「いいえ」を選択する。
Ｓ２８では、案内音声データの保存が「はい」であるか「いいえ」であるかの判別を行う。案内音声データの保存が「はい」であると判別した場合には、Ｓ３０に移行して案内音声データを保存する（ダウンロードした案内音声再生用データと再生プログラムの記憶を継続しておく）。案内音声データを保存しておくと、Ａ美術館を再訪したときに、また新たに案内音声再生用データ等をダウンロードする必要がない。Ｓ３０を実行してから、案内音声処理を終了する。Ｓ２８で案内音声データの保存が「いいえ」であると判別した場合には、Ｓ３２に移行して案内音声データを消去する。そして、案内音声処理を終了する。なお、ここで言う案内音声データの保存と消去とは、同時に再生プログラムの保存と消去を行うことを意味している。
【００１４】
Ａ美術館のような展示場では、携帯電話２１が着信音を発するのは好ましくない。このため、ダウンロードした再生プログラムには、携帯電話２１を強制的にマナーモードに切換える処理が含まれている。以下、そのマナーモード処理について説明する。マナーモード処理は、上述した案内音声処理と並行して処理される。
図１４に示すように、マナーモード処理の最初の処理であるＳ４０では、案内音声データの保存または消去が行われたか否かを判別する。既に説明したように、案内音声データの保存または消去は、案内音声処理のＳ２８の判別を処理することによって行われる。Ｓ４０で案内音声データの保存または消去が行われていないと判別した場合（ＮＯの場合）には、Ｓ４２に移行する。Ｓ４２では、携帯電話２１をマナーモードに設定する。携帯電話２１をマナーモードに設定すると、着信したときにバイブレータが作動する。
Ｓ４２に続くＳ４４では、携帯電話２１に着信したか否かを判別する。Ｓ４４で携帯電話２１に着信したと判別した場合（ＹＥＳの場合）には、Ｓ４６を実行する。Ｓ４４で携帯電話２１に着信していないと判別した場合（ＮＯの場合）には、Ｓ４０以降の処理を再び行う。
【００１５】
Ｓ４６を実行すると、図１５に示す電話画面が表示される。この状態で、来場者は、携帯電話２１で話したり、メールを確認したりできる。展示場の中には、携帯電話２１で話すための場所を確保している場合がある。Ｓ４６に続いてＳ４８が行われる。
Ｓ４８では、案内音声に戻るか否かを判別する。この判別は、図１５に示す電話画面の下部に表示されている「はい」または「いいえ」が選択されることによって行われる。「はい」が選択された場合（図１６参照）には、ＹＥＳと判別して図１４のＳ５０を実行する。Ｓ５０を実行すると、絵画番号入力画面（図８参照）に戻る。来場者が絵画番号入力画面に絵画番号を入力すると、案内音声が行われる。あるいは、携帯電話２１に出たり、メールを確認したりして案内音声が中断していた場合には、その中断したところから案内音声を再開してもよい。Ｓ５０を処理してから、Ｓ４０以降の処理を再び実行する。
一方、Ｓ４８で案内音声に戻らないと判別した場合（「いいえ」の場合）には、ＮＯと判別してＳ５２に移行する。
Ｓ５２では、着信報知モードと携帯電話２１の表示画面２７を元の状態に戻す。着信報知モードが元の状態に戻ると、元々着信音が鳴るように設定されていた場合には着信音が鳴るようになり、元々マナーモードが設定されていた場合には、そのままマナーモードの状態が維持される。携帯電話２１の表示画面も、来場者が元々設定していた表示画面に戻る。また、Ｓ４０で案内音声再生用データの保存または消去が行われたと判別した場合（ＹＥＳの場合）には、Ｓ５２を実行する。案内音声再生用データの保存または消去が行われた場合には、Ａ美術館２２での絵画鑑賞が終了したと判断できるので、Ｓ５２を実行して着信報知モードと表示画面２７を元の状態に戻すのである。Ｓ５２を実行してから、マナーモード処理を終了する。
【００１６】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組合せによって技術的有用性を発揮するものであり、出願時の請求項記載の組合せに限定されるものではない。また、本明細書または図面に例示した技術は複数目的を同時に達成するものであり、そのうちの一つの目的を達成すること自体で技術的有用性を持つものである。
【図面の簡単な説明】
【００１７】
【図１】案内音声再生システムの全体構成図。
【図２】案内音声再生用データを例示する図。
【図３】案内音声処理のフローチャート。
【図４】携帯電話の表示画面に表示される画像。
【図５】携帯電話の表示画面に表示される画像。
【図６】携帯電話の表示画面に表示される画像。
【図７】携帯電話の表示画面に表示される画像。
【図８】携帯電話の表示画面に表示される画像。
【図９】携帯電話の表示画面に表示される画像。
【図１０】携帯電話の表示画面に表示される画像。
【図１１】携帯電話の表示画面に表示される画像。
【図１２】携帯電話の表示画面に表示される画像。
【図１３】携帯電話の表示画面に表示される画像。
【図１４】マナーモード処理のフローチャート。
【図１５】携帯電話の表示画面に表示される画像。
【図１６】携帯電話の表示画面に表示される画像。
【符号の説明】
【００１８】
１０：案内音声再生システム
１２：案内文作成ターミナル
１４：音声データ作成ターミナル
１５：ＡＳＰサーバ
１７：携帯電話プロバイダサイト
２０：携帯電話網
２１：携帯電話
２２：Ａ美術館
１２：係員
２４：絵画
２７：表示画面
【図１】
2006113678.tif 000003
【図２】
2006113678.tif 000004
【図３】
2006113678.tif 000005
【図４】
2006113678.tif 000006
【図５】
2006113678.tif 000007
【図６】
2006113678.tif 000008
【図７】
2006113678.tif 000009
【図８】
2006113678.tif 000010
【図９】
2006113678.tif 000011
【図１０】
2006113678.tif 000012
【図１１】
2006113678.tif 000013
【図１２】
2006113678.tif 000014
【図１３】
2006113678.tif 000015
【図１４】
2006113678.tif 000016
【図１５】
2006113678.tif 000017
【図１６】
2006113678.tif 000018